(57)【特許請求の範囲】
【請求項１】
被写体を撮像する撮像素子と、
前記撮像素子の露出を制御するシャッタと、
前記シャッタが開放状態となるときに電源電圧が所定レベル以下となるかどうかを検出する電源状態検出手段と、
撮影動作の実行によって前記シャッタが開放状態となるときに、前記電源電圧が所定レベル以下となる場合には、前記シャッタを閉鎖するように制御するとともに、クリーニングモード動作が実行されるときに前記シャッタを開放状態として、前記クリーニングモード動作の実行によって前記シャッタが開放状態となるときに、前記電源電圧が所定レベル以下となる場合には、前記シャッタを閉鎖しないように制御する動作制御手段とを有することを特徴とする撮像装置。
【請求項２】
前記電源電圧が所定レベル以下となる場合に、警告表示を行う表示手段を有することを特徴とする請求項１に記載の撮像装置。
【請求項３】
被写体を撮像する撮像素子と、前記撮像素子の露出を制御するシャッタと、前記シャッタが開放状態となるときに電源電圧が所定レベル以下となるかどうかを検出する電源状態検出手段とを有する撮像装置の制御方法であって、
撮影動作の実行によって前記シャッタが開放状態となるときに、前記電源電圧が所定レベル以下となる場合には、前記シャッタを閉鎖するように制御し、
クリーニングモード動作が実行されるときに前記シャッタを開放状態として、前記クリーニングモード動作の実行によって前記シャッタが開放状態となるときに、前記電源電圧が所定レベル以下となる場合には、前記シャッタを閉鎖しないように制御することを特徴とする撮像装置の制御方法。
【発明の詳細な説明】
【０００１】
【発明の属する技術分野】
本発明は、エラー発生に伴うシャッタの開閉動作を制御する撮像装置及び撮像装置の制御方法に関し、特に、クリーニングモード時におけるシャッタの開閉動作に考慮した撮像装置及び撮像装置の制御方法に関するものである。
【０００２】
【従来の技術】
従来、レンズ交換可能な一眼レフレックス方式のカメラの場合、レンズの交換時にゴミが侵入やすく、また、一度侵入したゴミは、撮影の度に繰り返し駆動されるミラーやシャッタにより、カメラ内を移動し、撮像面やＡＦセンサ等に付着してしまう恐れがある。撮像面にゴミが付着してしまうと、ゴミが除去されるまでゴミが写り込んでしまう。
【０００３】
また、ＡＦセンサなどのセンサ面上にゴミが付着してしまうと、センサの出力が正しくなされず、誤動作の原因ともなってしまう。このようなゴミを除去するための専用モードのクリーニングモードを備えたカメラはすでに知られており、クリーニングモードに入ると、ミラーをアップさせ、シャッタを全開状態にすることによりクリーニング作業を可能にしている。例えば、外部よりエアーでゴミを飛ばしたり、ピンセットで直接ゴミを除去する等の作業を行うことができる。
【０００４】
更に、シャッタが全開状態にあるときに電源の低下によるエラーが発生し、シャッタがそのまま開の状態であると、撮像素子を破損してしまう恐れがある。このようなエラー発生時における撮像素子の破損を防止するために、撮影モードやクリーニングモードという区別なくただちにシャッタを走行させるものも知られている。
【０００５】
【発明が解決しようとする課題】
しかしながら、例えばクリーニング中にエラーが発生しシャッタを走行させると、クリーニング作業によりシャッタを破壊してしまう恐れがあった。例えば、特開２００１−１５９７７７号公報には、クリーニング中の電源の低下を防ぐために、外部電源を接続されていないときにはクリーニングモードに入らないという対策をとったものが開示されている。しかしながら、使用する電源によってクリーニングモードへ入ることができないというのは利用者にとって不便であった。
【０００６】
本発明は、上記問題点に鑑みてなされたものであり、電源の種類に関係なく、安全なクリーニングモードを提供することを目的とする。
【０００７】
【課題を解決するための手段】
かかる目的を達成するために、本発明の撮像装置は、被写体を撮像する撮像素子と、前記撮像素子の露出を制御するシャッタと、前記シャッタが開放状態となるときに電源電圧が所定レベル以下となるかどうかを検出する電源状態検出手段と、撮影動作の実行によって前記シャッタが開放状態となるときに、前記電源電圧が所定レベル以下となる場合には、前記シャッタを閉鎖するように制御するとともに、クリーニングモード動作が実行されるときに前記シャッタを開放状態として、前記クリーニングモード動作の実行によって前記シャッタが開放状態となるときに、前記電源電圧が所定レベル以下となる場合には、前記シャッタを閉鎖しないように制御する動作制御手段とを有することを特徴とする。
【０００８】
本発明の撮像装置の制御方法は、被写体を撮像する撮像素子と、前記撮像素子の露出を制御するシャッタと、前記シャッタが開放状態となるときに電源電圧が所定レベル以下となるかどうかを検出する電源状態検出手段とを有する撮像装置の制御方法であって、撮影動作の実行によって前記シャッタが開放状態となるときに、前記電源電圧が所定レベル以下となる場合には、前記シャッタを閉鎖するように制御し、クリーニングモード動作が実行されるときに前記シャッタを開放状態として、前記クリーニングモード動作の実行によって前記シャッタが開放状態となるときに、前記電源電圧が所定レベル以下となる場合には、前記シャッタを閉鎖しないように制御することを特徴とする。
【００１９】
【発明の実施の形態】
以下、本発明の実施の形態を添付図面を参照しながら詳細に説明する。
【００２０】
図１は、本発明の撮像装置の一実施形態であるカメラの構成を示したブロック図である。１０は交換可能な外付け撮影レンズを取り付けるレンズマウント部で、装着されたレンズは４２のレンズ制御回路により制御される。１０のレンズマウントに装着されたレンズを通過した光束は、１１のミラーに入射し、不図示のファインダや４０の測距演算部、４１の測光演算部へと導かれる。
【００２１】
１２は先幕と後幕から構成され、撮像素子の露出を制御するためのシャッタで、１１のミラーと共に４３のメカ制御回路により制御されている。１４は光学像を電気信号に変換する例えばＣＣＤ等の撮像素子、１６は撮像素子１４のアナログ信号出力をデジタル信号に変換するＡ／Ｄ変換器である。
【００２２】
１８は撮像素子１４や、Ａ／Ｄ変換器１６や、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。
【００２３】
さらに、画像処理回路２０においては、撮像した画像データを用いて所定の演算処理を行い、得られた演算結果に基づいてＴＴＬ方式のＡＷＢ（オートホワイトバランス）処理も行っている。２２はメモリ制御回路であり、Ａ／Ｄ変換器１６、タイミング発生回路１８、画像処理回路２０、画像表示メモリ２４、Ｄ／Ａ変換器２６、画像データメモリ３０、画像ファイル生成部３２を制御する。
【００２４】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いは画像データメモリ３０に書き込まれる。２４は画像表示メモリ、２６はＤ／Ａ変換器、２８はＴＦＴ型ＬＣＤ等から成る画像表示部であり、画像表示メモリ２４に書き込まれた表示用の画像データはＤ／Ａ変換器２６を介して画像表示部２８により表示される。
【００２５】
画像表示部２８はカメラ背面に設置され、撮像後の画像確認やシステム制御回路５０との通信によりさまざまな情報告知としても表示されるが、画像表示部２８を用いて撮像した画像データを逐次表示すれば電子ファインダ機能を持った画像モニタを実現することも可能である。
【００２６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みを画像データメモリ３０に対して行うことが可能となる。また、画像データメモリ３０はシステム制御回路５０の作業領域としても使用することが可能である。
【００２７】
３２は画像データを圧縮伸長しファイル化する画像ファイル生成部であり、画像データメモリ３０に格納された画像を読み込んで圧縮処理或いは伸長処理を行い、処理を終えたデータを画像データメモリ３０に書き込む。画像ファイル生成部３２は、画像データメモリ３０に格納されたＲ、Ｇ、Ｂの画像データを輝度信号Ｙおよび色差信号ＣからなるＹＣデータに変換して、これをたとえば、ＪＰＥＧ(Joint Photographic Coding Experts Group)形式にて圧縮した画像ファイルを生成する。
【００２８】
具体的には、例えば画像データメモリ３０からの９ＭＢの画像データは、ＹＣ変換およびＤＣＴ（Discrete cosine transform−離散コサイン変換）、ＡＤＣＴ（Adjust Discrete cosine transform−適応離散コサイン変換）等によって約２．２５ＭＢのデータに圧縮され、さらにハフマン符号などにて符号化されて約２３０ｋＢのデータファイルとして形成される。
【００２９】
画像データメモリ３０に書き込まれた圧縮されたデータを読み出し、画像表示部２８に画像を出力することでサムネイル(thumbnail)画像となり、さらに連続して読み出し画像表示部２８に並べて表示することでインデックス画像（マルチ画像）としてモニタすることができる。
【００３０】
４０は複数の測距点から選択された測距を行い、ピントを合わせる為のレンズの距離環駆動量を演算する測距演算部である。４１は不図示の多分割測光センサにて測光を行い、測光値を演算する測光演算部であり、フラッシュ４８と連携することによりフラッシュ調光機能も有するものである。
【００３１】
４８はフラッシュであり、ＡＦ補助光の投光機能、フラッシュ調光機能も有する。５０は画像処理装置１００全体を制御するシステム制御回路であり、内部にＲＯＭ、ＲＡＭ、Ａ／ＤコンバータやＤ／Ａコンバータを有するマイクロコンピュータ、５２はシステム制御回路５０の動作用の定数、変数、プログラム等を記憶する外部メモリである。
【００３２】
５４はシステム制御回路５０でのプログラムの実行に応じて、文字、画像、音声等を用いて動作状態やメッセージ等を表示する液晶表示装置、スピーカ等の表示部であり、画像処理装置１００の操作部近辺の視認し易い位置に単数或いは複数個所設置され、例えばＬＣＤやＬＥＤ、発音素子等の組み合わせにより構成されている。
【００３３】
また、表示部５４は、その一部の機能が光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付表示・時刻表示、等がある。
【００３４】
本実施形態に係わるＡＥＢ撮影の設定表示や多重撮影設定表示もここで行われる。また、表示部５４の表示内容のうち一部の情報を画像表示部２８にも表示することを可能としている。光学ファインダ１０４内に表示するものとしては、合焦表示、手振れ警告表示、フラッシュ充電表示、シャッタスピード表示、絞り値表示、露出補正表示、等がある。
【００３５】
５６は電気的に消去・記録可能な不揮発性メモリであり、例えばＥＥＰＲＯＭ等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３６】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。６２はシャッタスイッチＳＷ１で、不図示のシャッタボタンの操作途中でＯＮとなり、ＡＦ処理、ＡＥ処理、ＡＷＢ処理、ＥＦ処理等の動作開始を指示する。
【００３７】
６４はシャッタスイッチＳＷ２で、不図示のシャッタボタンの操作完了でＯＮとなり、撮像素子１４から読み出した信号をＡ／Ｄ変換器１６、メモリ制御回路２２を介して画像データメモリ３０に画像データを書き込む露光処理、画像処理回路２０やメモリ制御回路２２での演算を用いた撮像処理、画像データメモリ３０から画像データを読み出し、画像ファイル生成部３２で圧縮を行い、記録媒体２００或いは２１０に画像データを書き込む記録処理という一連の処理の動作開始を指示する。
【００３８】
また、本実施形態に係わるクリーニングモードに設定されている際には、クリーニングモード実行の開始スイッチともなっている。６６は画像表示ＯＮ／ＯＦＦスイッチで、画像表示部２８のＯＮ／ＯＦＦを設定することが出来る。６８はクイックレビューＯＮ／ＯＦＦスイッチで、撮影直後に撮影した画像データを自動再生するクイックレビュー機能を設定することができ、マルチ画像の形態の切り替えもこのスイッチで行える。
【００３９】
７０は各種ボタンやタッチパネル等からなる操作部で、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。本実施形態に係わるクリーニングモードもこれらを操作することにより設定メニューへ入り、設定される。
【００４０】
８０は電源レベル検出手段で、検出結果によってシステム制御回路５０は、撮影者に電池の残量を告知をする。８２と８４は電源接続用コネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００４１】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４２】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４３】
インタフェース及びコネクタとしては、外部記録媒体であるＰＣＭＣＩＡカードやＣＦ（コンパクトフラッシュ（Ｒ））カード等の規格に準拠したものを用いて構成して構わない。さらに、インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４４】
１０４は光学ファインダであり、画像表示部２８による画像モニタ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００４５】
１１０は通信手段で、ＲＳ２３２ＣやＵＳＢ、ＩＥＥＥ１３９４、Ｐ１２８４Ｐ、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００４６】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００４７】
次に、本実施形態における撮影モード時の動作について図２を参照しながら詳細に説明する。図２は、本実施形態における撮影モード時の動作の流れを示したフローチャートである。
【００４８】
モードダイアルスイッチ６０により撮影モードがバルブに設定された後、６４のシャッタスイッチＳＷ２がＯＮされることによりバルブ動作へと入り、５４の表示部のＬＣＤ部にバルブ中であることを表示する（ステップＳ１０１）。次に、４３のメカ制御回路により１１のミラーをアップさせる（ステップＳ１０２）。
【００４９】
続いて４３のメカ制御回路により１２のシャッタの先幕を走行させる（ステップＳ１０３）。これでシャッタは全開となり、これよりバルブ時間の計測が開始される。以後、バルブが開始されてからの経過時間表示を５４の表示部のＬＣＤ部に表示する。
【００５０】
バルブ中は、８０の電源レベル検出手段で電源電圧を常にチェックする（ステップＳ１０４）。電源電圧が所定のレベル以下になった場合は、ステップＳ１１０へ分岐し、エラー処理へと入る。電源電圧が十分であれば、ステップＳ１０５へすすむ。ステップＳ１０５では、バルブが開始されてからの経過時間表示を更新する。
【００５１】
また、バルブは、６４のシャッタスイッチＳＷ２がＯＦＦされることにより解除される。６４のシャッタスイッチＳＷ２がＯＦＦされていれば、ステップＳ１０７へ分岐する。６４のシャッタスイッチＳＷ２がＯＦＦされるまでは、引き続きバルブ撮影を続行するのでステップＳ１０４からステップＳ１０６のループ処理を行う。
【００５２】
バルブが解除されると、４３のメカ制御回路により１２のシャッタの後幕を走行させる（ステップＳ１０７）。次に、４３のメカ制御回路により１１のミラーをダウンさせ、次の撮影の為に１２のシャッタをスタンバイ位置にチャージする（ステップＳ１０８）。次に、バルブ撮影が終了したので、表示をスタンバイ表示とする（ステップＳ１０９）。
【００５３】
一方で、電源電圧が所定のレベル以下となった場合は、電圧降下のエラーフラグを立て、エラーが発生したことを撮影者に知らせる表示をし、エラー処理へと移る（ステップＳ１１０）。次に、シャッタの開閉状態をチェックし（ステップＳ１１１）、閉じていれば、そのままメインルーチンへリターンする。開いているのであればステップＳ１１２へ分岐する。
【００５４】
エラーが発生し、シャッタが開状態の場合は、１４の撮像素子を保護するために４３のメカ制御回路により１２のシャッタの後幕を走行させて（ステップＳ１１２）、メインルーチンへリターンする。
【００５５】
次に、本実施形態におけるクリーニングモード時の動作について図３を参照しながら詳細に説明する。図３は、本実施形態におけるクリーニングモード時の動作の流れを示したフローチャートである。
【００５６】
モードダイアルスイッチ７０によりクリーニングモードに設定された後、６４のシャッタスイッチＳＷ２がＯＮされることによりクリーニングモード動作へと入り、５４の表示部のＬＣＤ部にクリーニングモード中であることを表示する（ステップＳ２０１）。
【００５７】
４３のメカ制御回路により１１のミラーをアップさせ（ステップＳ２０２）、次に、続いて４３のメカ制御回路により１２のシャッタの先幕を走行させる（ステップＳ２０３）。これでシャッタは全開となり、これより撮像素子上および近傍のゴミを除去できる状態となる。例えば、外部よりエアーでゴミを飛ばしたり、ピンセットで直接ゴミを用いて除去することが可能となる。
【００５８】
バルブ中は、８０の電源レベル検出手段で電源電圧を常にチェックする（ステップＳ２０４）。電源電圧が所定のレベル以下になった場合は、ステップＳ２０９へ分岐し、エラー処理へと入り、電源電圧が十分であれば、ステップＳ２０５へすすむ。ステップＳ２０５では、クリーニングモードは、メインの電源ＳＷをＯＦＦすることにより解除される（ステップＳ２０５）。メインの電源ＳＷがＯＦＦされていれば、ステップＳ２０６へ分岐する。メインの電源ＳＷがＯＦＦされるまではクリーニングモードを続行するのでステップＳ２０４からステップＳ２０５のループ処理を行う。
【００５９】
クリーニングモードが解除されると、４３のメカ制御回路により１２のシャッタの後幕を走行させる（ステップＳ２０６）。次に、４３のメカ制御回路により１１のミラーをダウンさせ（ステップＳ２０７）、次の撮影の為に１２のシャッタをスタンバイ位置にチャージする。次に、メインの電源ＳＷがＯＦＦされているので表示を消し（ステップＳ２０８）、メインルーチンへリターンする。
【００６０】
一方で、電源電圧が所定のレベル以下となった場合は、電圧降下のエラーフラグを立て、エラーが発生したことを撮影者に知らせる表示を行う（ステップＳ２０９）。クリーニングモード中なのでシャッタは開のままメインルーチンへリターンする。
【００６１】
このように、本実施形態によれば、クリーニングモード時にエラーが発生した場合と、クリーニングモード以外のモード中にエラーが発生した場合とで異なる処理を実行させている。即ち、クリーニングモード時にエラーが発生した場合はシャッタの走行を行わないため、クリーニング作業中に電源電圧が低下する等のエラーが生じても、シャッタを走行して破損させてしまうことから防止することができる。
【００６９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７０】
この場合、記憶媒体から読み出されたプログラムコード自体が前述した実施形態の機能を実現することになり、そのプログラムコードを記憶した記憶媒体は本発明を構成することになる。
【００７１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【００７２】
また、コンピュータが読み出したプログラムコードを実行することにより、前述した実施形態の機能が実現されるだけでなく、そのプログラムコードの指示に基づき、コンピュータ上で稼動しているＯＳ(オペレーティングシステム)などが実際の処理の一部又は全部を行い、その処理によって前述した実施形態の機能が実現される場合も含まれることは言うまでもない。
【００７３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００７４】
【発明の効果】
以上の説明から明らかなように、本発明によれば、クリーニングモードに設定されているときに、電源電圧が所定レベル以下となったとしても、シャッタが開いた状態で保持されるので、クリーニング作業時にシャッタが突然閉じることによってシャッタや撮像素子を破損させてしまうことを防止できる。
【図面の簡単な説明】
【図１】  本発明の撮像装置の一実施形態であるカメラの構成を示したブロック図である。
【図２】  本発明の一実施形態における撮影モード時の動作の流れを示したフローチャートである。
【図３】  本発明の一実施形態におけるクリーニングモード時の動作の流れを示したフローチャートである。
【符号の説明】
１１  ミラー
１２  シャッタ
１４  撮像素子
４３  メカ制御回路
５０  システム制御部
５４  表示部
６０  モードダイアル
６２  シャッタスイッチＳＷ１
６３  シャッタスイッチＳＷ２
【図１】
0004759191.tif 000002
【図２】
0004759191.tif 000003
【図３】
0004759191.tif 000004